(57)【要約】【課題】  簡便に現用送信器を予備送信器との間の各送信波の各変調波の間の遅延時間差を測定し、現用送信器を予備送信器に切替えても送信電波に遅延時間差が発生しないデジタル無線通信システムおよびその通信制御方法を実現する。【解決手段】  ２台の送信器１Ａと１Ｂからの送信波を位相比較器ｐｄを用いて測定し２つの送信波の位相を揃え、２台の送信器１Ａと１Ｂからの送信波に含まれる各変調波の間に遅延時間差があると、位相比較器ｐｄが測定する各送信波の間の位相差誤差信号に発生するパルス状の雑音を検出して、そのパルス状の雑音を最小になるように可変遅延線１ｄを調整することにより各変調波の間の遅延時間差を最小にする。【選択図】  図２
2005354464.tif 000002
【特許請求の範囲】
【請求項１】
第１のマスター装置からのデジタルビデオ信号を、それぞれ変調器と送信器を経る第１、第２の系統に構成され、且つ共通の第１の切替器を介して第１のアンテナから送信する様にした送信部と、
前記送信部の第１のアンテナからの信号を受信する第２のアンテナ、受信器、復調器、およびマスター装置を具備する受信部とを有し、
前記第１の系統の前記デジタルビデオ信号を変調波として入力し、送信波として前記第１の切換器を介して出力する第１の送信器と、
前記第２の系統の前記デジタルビデオ信号を変調波として入力し、送信波として前記第１の切換器を介して出力する第２の送信器と、
前記第１の切替器の前記２つの系統の入力端子に接続され、前記第１と前記第２の各送信器が出力する送信波の間の位相差からパルス雑音を抽出して前記各変調波の間の遅延時間差誤差信号として出力する位相比較器と、
前記位相比較器から前記出力された前記遅延時間差誤差信号の前記パルス雑音が最小となるよう調整する遅延調整手段とを具備する
ことを特徴とするデジタル無線通信システム。
【請求項２】
第１のマスター装置からのデジタルビデオ信号を、それぞれ変調器と送信器を経る第１、第２の系統に構成され、且つ共通の第１の切替器を介して第１のアンテナから送信する様にした送信部と、
前記送信部の第１のアンテナからの信号をそれぞれ受信する第２のアンテナ、受信器、復調器を経る第３、第４の系統を構成すると共に、共通の第２の切替器を介して接続された第２のマスター装置から構成された受信部とを有し、
前記第１の系統の前記デジタルビデオ信号を変調波として入力し、送信波として前記第１の切換器を介して出力する第１の送信器と、
前記第２の系統の前記デジタルビデオ信号を変調波として入力し、送信波として前記第１の切換器を介して出力する第２の送信器と、
前記第１の切替器の前記２つの系統の入力端子に接続され、前記第１と前記第２の各送信器が出力する送信波の間の位相差からパルス雑音を抽出して前記各変調波の間の遅延時間差誤差信号として出力する位相比較器と、
前記位相比較器から前記出力された前記遅延時間差誤差信号の前記パルス雑音が最小となるよう調整する遅延調整手段とを具備する
ことを特徴とするデジタル無線通信システム。
【請求項３】
前記位相比較器は、
前記第１と第２の送信器が出力する送信波の間の位相差を位相差誤差信号とし、
前記位相差誤差信号をフィルタに通して前記パルス雑音を抽出した前記遅延時間差誤差信号を前記遅延調整手段に出力することを
特徴とする請求項１又は２記載のデジタル無線通信システム。
【請求項４】
第１のマスター装置からのデジタルビデオ信号を、それぞれ変調器と送信器を経る第１、第２の系統に構成され、且つ共通の第１の切替器を介して送信部の第１のアンテナから送信し、
前記送信部の第１のアンテナからの信号を第２のアンテナ、受信器、復調器、およびマスター装置を具備する受信部により受信し、
前記第１の系統の前記デジタルビデオ信号を変調波として入力されると第１の送信器は、送信波として前記第１の切換器を介して出力し、
前記第２の系統の前記デジタルビデオ信号を変調波として入力されると第２の送信器は、第２の送信波を前記第１の切換器を介して出力し、
前記第１の切替器の前記２つの系統の入力端子に接続される位相比較器は、前記第１と前記第２の送信器が出力する送信波の間の位相差の位相差誤差信号からパルス雑音を抽出して前記各変調波の間の遅延時間差誤差信号として遅延調整手段に出力し、
前記遅延時間差誤差信号が入力された前記遅延調整手段は、前記パルス雑音が最小となるよう調整する
ことを特徴とするデジタル無線通信システムの通信制御方法。
【発明の詳細な説明】
【技術分野】
【０００１】
本発明は、冗長構成を持つマイクロ波中継を行うデジタル無線通信システムおよびその通信制御方法に関する。
【背景技術】
【０００２】
放送局等では、放送用の広帯域な映像情報をセンターから支局や送信所などへマイクロ波中継することがある。この様な無線中継では、中継無線局間を現用回線と予備回線の様に冗長構成を持たせており現用回線に不具合が発生したとき、又は、装置機材の保守点検等を行うときは、現用回線から予備回線に切替えて中継を行う。
【０００３】
最近の映像信号伝送は、デジタルビデオ信号化されていることから、例えば、ビット落ちなどの現象により画像にノイズが発生するのを防いで切替えなければならない。そのためには、現用回線と予備回線の間で受信したデータの遅延時間差が無いようにして切替える必要がある。
【０００４】
図１０は、従来の冗長構成によるデジタル無線通信システムの構成図である。
【０００５】
図１０において、デジタル無線通信システムは、送信部ＴＳと受信部ＴＲとから構成される。送信部ＴＳは、局舎内に設置される入力装置４Ｓと変調器２Ａと２Ｂ、局舎屋上又は鉄塔等に設置される送信器１０Ａと１０Ｂ、アンテナ５Ｓ、および切替器Ｓ１とからなる。受信部ＴＲは、局舎屋上又は鉄塔等に設置されるアンテナ５Ｒ、受信器５Ａと５Ｂ、局舎内に設置される復調器６Ａ、６Ｂ、出力装置４Ｒ、切替器Ｓ２とによって構成されている。
【０００６】
入力装置４Ｓからのデジタルビデオ信号は、変調器２Ａと送信器１０Ａを経るルートと、変調器２Ｂと送信器１０Ｂを経るルートとの２つの系統に分けられる。
【０００７】
デジタルビデオ信号は、変調器２Ａ、２Ｂで中間周波数の変調ビデオ信号に変換され、更に送信器１０Ａ、１０Ｂで無線通信の周波数の送信波の信号に変換され、切替器Ｓ１では、送信器１０Ａと送信器１０Ｂからのルートのうちいずれか一つからの送信波の信号を選択してアンテナ５Ｓに送信する。アンテナ５Ｓから送信された電波は、受信器５Ａと受信器５Ｂの各アンテナ５Ｒで受信され、受信器５Ａと受信器５Ｂで中間周波数の変調ビデオ信号に復元される。それらの変調ビデオ信号は、復調器６Ａ、６Ｂでデジタルビデオ信号に復元される。そして、切替器Ｓ２は、受信器５Ａと復調器６Ａとを結ぶ回線、又は、受信器５Ｂと復調器６Ｂとを結ぶ回線のいずれか一方の回線を選択し、例えば、復調器６Ａからのデジタルビデオ信号を出力装置４Ｒに出力する。
【０００８】
ところで、送信器１０Ａ、送信器１０Ｂ、受信器５Ａ、受信器５Ｂとアンテナ５Ｓ，アンテナ５Ｒは、鉄塔や建家の屋上などに小型化して設置される。
【０００９】
送信器１０Ａと局舎内に設置された変調器２Ａとの間、同様に送信器１０Ｂと変調器２Ｂとの間は、それぞれ異なるケーブルルートで数１００ｍ離れて設置されている。このケーブル接続関係は、受信側も送信側と同様である。
【００１０】
この様な場合、ケーブルルートの違いによるケーブル長の差から送信器１０Ａと１０Ｂに到着する信号との間には遅延時間の差ができる。例えば、これらに接続されたケーブル長に２１ｍの差があると０．１マイクロ秒（１００Ｍｂｐｓで１０ビット分）の時間差が発生する。同様に受信側でも２台の受信器５Ａと受信器５Ｂの間でも受信したデータの間に遅延時間差が生じてくる。
【００１１】
無線通信システムでの受信側においても切替器で切替えを行う例として、受信側の復調器６Ａ、６Ｂで検波復調されたデジタル信号のデータフレーム情報を抽出し、その抽出されたフレームの間の遅延時間差を測定して、一致するように補正して受信信号を切替えているものがある（例えば、特許文献１参照。）。
【００１２】
即ち、受信側で遅延時間調整を行う場合、各受信器５Ａと受信器５Ｂとに接続された復調器６Ａ、６Ｂには遅延時間調整回路が組み込まれており、切替器Ｓ２の入力では遅延時間差が無くなる。そして、復調器６Ａ、６Ｂ内に調整回路を設けることによる受信側局舎内に設置される装置規模の増大は支障にはならない。
【００１３】
この様な冗長構成の中継システムでは、受信側と同様に送信側の切替器Ｓ１の入力でも送信器１０Ａと１０Ｂそれぞれの回線間での遅延時間差を無くすようにして切替えることが必要である。
【００１４】
即ち、送信器１０Ａと１０Ｂの出力を切替器Ｓ１で切替えてもケーブル長の違いによって発生する遅延時間差によって受信部ＲＸ側で復調されたデジタル信号にビット落ちなどエラーが発生しない様に切替えなければならない。そのためには、切替器Ｓ１に入力する２台の送信器１０Ａ、１０Ｂからの送信波の周波数と位相、およびそれらの送信波が変調された変調波の周波数と遅延時間（送信波の包絡線）が揃うことが必要である。
【００１５】
しかし、送信器１０Ａと１０Ｂ等は鉄塔等に設置されるため小型化されており筐体の容量に余裕が無く、受信側の復調器６Ａと６Ｂで行われた様に遅延時間を調整する回路を組み込むことができない。
【００１６】
そこで、従来は、送信器１０Ａと１０Ｂとを設置する時、切替器Ｓ１の入力側で送信器１０Ａと１０Ｂの送信波の一部を取り出して、調整用のネットワークアナライザ等で変調波の遅延時間を観測し、送信器１０Ａと１０Ｂまでのケーブル長の違いによって発生する遅延時間差が無いように、送信器１０Ａと１０Ｂにそれぞれ接続される遅延線で遅延時間を調整していた。
【００１７】
しかし、従来の方法では、ネットワークアナライザ等の特殊測定器を送信器１０Ａと１０Ｂが設置されている建家屋上や鉄塔の上まで携行しなければならず、操作に習熟を要するとともに作業性が悪い欠点があった。また、作業性を改善した遅延時間調整をするために送信波を復調して遅延時間の調整を行う回路を送信器１０Ａと１０Ｂとに組み込むにしても送信器の形状の大型化、消費電力の増加、またコスト増加等の問題が生じた。
【特許文献１】特開平８−１２５６４２号公報（第８頁、第１図）
【発明の開示】
【発明が解決しようとする課題】
【００１８】
従来マイクロ波中継装置で、特に送信器を冗長構成にしたシステムにおいては、２台の送信器から切替器に接続された２系統の送信波の変調波の間に遅延時間差が無い様にするため、送信器を設置する時にネットワークアナライザ等の測定装置を送信器の傍に設置して測定調整しなければならず作業性が悪かった。また、作業性を高めるために送信波を復調して遅延時間の調整を行う調整回路を送信器に組み込む場合には、送信器が大型化、また高コストになる問題があった。
【００１９】
本発明は上記問題を解決するためになされたもので、現用送信器と予備送信器からの送信波の変調波の間の遅延時間差を簡便に測定、調整でき、現用送信器を予備送信器に切替えてもその変調波の間に遅延時間差が発生しない送信部を備えたデジタル無線通信システムおよびその通信制御方法を提供することを目的とする。
【課題を解決するための手段】
【００２０】
上記目的を達成するために、本発明のデジタル無線通信システムは、第１のマスター装置からのデジタルビデオ信号を、それぞれ変調器と送信器を経る第１、第２の系統に構成され、且つ共通の第１の切替器を介して第１のアンテナから送信する様にした送信部と、前記送信部の第１のアンテナからの信号を受信する第２のアンテナ、受信器、復調器、およびマスター装置を具備する受信部とを有し、前記第１の系統の前記デジタルビデオ信号を変調波として入力し、送信波として前記第１の切換器を介して出力する第１の送信器と、前記第２の系統の前記デジタルビデオ信号を変調波として入力し、送信波として前記第１の切換器を介して出力する第２の送信器と、前記第１の切替器の前記２つの系統の入力端子に接続され、前記第１と前記第２の各送信器が出力する送信波の間の位相差からパルス雑音を抽出して前記各変調波の間の遅延時間差誤差信号として出力する位相比較器と、前記位相比較器から前記出力された前記遅延時間差誤差信号の前記パルス雑音が最小となるよう調整する遅延調整手段とを具備することを特徴とする。
【００２１】
また、本発明のデジタル無線通信システムの通信制御方法は、第１のマスター装置からのデジタルビデオ信号を、それぞれ変調器と送信器を経る第１、第２の系統に構成され、且つ共通の第１の切替器を介して送信部の第１のアンテナから送信し、前記送信部の第１のアンテナからの信号を第２のアンテナ、受信器、復調器、およびマスター装置を具備する受信部により受信し、前記第１の系統の前記デジタルビデオ信号を変調波として入力されると第１の送信器は、送信波として前記第１の切換器を介して出力し、前記第２の系統の前記デジタルビデオ信号を変調波として入力されると第２の送信器は、第２の送信波を前記第１の切換器を介して出力し、前記第１の切替器の前記２つの系統の入力端子に接続される位相比較器は、前記第１と前記第２の送信器が出力する送信波の間の位相差の位相差誤差信号からパルス雑音を抽出して前記各変調波の間の遅延時間差誤差信号として遅延調整手段に出力し、前記遅延時間差誤差信号が入力された前記遅延調整手段は、前記パルス雑音が最小となるよう調整することを特徴とする。
【発明の効果】
【００２２】
本発明によれば、位相比較器を用いて現用と予備の２台の送信器の各送信波の間の位相差誤差信号とともに、各変調波の間に遅延時間差が有ると位相差誤差信号に発生する雑音が最小になるように可変遅延線を調整することによって各変調波の間の遅延時間差を最小にし、変調波の間に遅延時間差が発生しない様にしたデジタル無線通信システムとその通信制御方法を提供することができる。
【発明を実施するための最良の形態】
【００２３】
以下、図１乃至図３を参照して本発明の実施の形態を説明する。
【実施例】
【００２４】
図１は、本発明のデジタル無線通信システムの実施の形態の構成を示すブロック図である。
【００２５】
図１において、本発明のデジタル無線通信システムは、送信部ＴＸと受信部ＲＸによって構成される。送信部ＴＸは、入力装置４Ｓ、変調器２Ａ、変調器２Ｂ、基準発振器２ｒ、送信器１Ａ、送信器１Ｂ、基準発振器１ｒ、位相比較器ｐｄ、切替器Ｓ１、およびアンテナ５Ｓとからなる。
【００２６】
受信部ＲＸは、アンテナ５Ｒ、受信器５Ａ、受信器５Ｂ、復調器６Ａ、復調器６Ｂ、切替器Ｓ２、および出力装置４Ｒから構成される。送信部ＴＸの送信器１Ａ、１Ｂ、および受信部ＲＸの受信器５Ａ、５Ｂ等の機器は、図１０に示した従来のデジタル無線通信システムと同様に屋上等に設置される。
【００２７】
送信部ＴＸにおいて、入力装置４Ｓからは、冗長性を持たせるためデジタルビデオ信号が変調器２Ａと２Ｂの２つの系統に分離されて送信される。
【００２８】
変調器２Ａと２Ｂは、各々が入力装置４Ｓから受信したデジタルビデオ信号を基準発振器２ｒを原振信号とする周波数で変調した中間周波数の変調ビデオ信号（以下、ＩＦ信号と称す。）に変換する。そして、変調器２Ａは、送信器１Ａに、変調器２Ｂは、送信器１ＢにＩＦ信号をそれぞれの間の接続ケーブルにより送信する。
【００２９】
送信器１Ａ、１Ｂは、受信したＩＦ信号を基準発振器１ｒにより所定の同じ周波数の送信波に変換し電力増幅して切替器Ｓ１に出力する。以下、この送信波に含まれる変調された信号成分を変調波と呼ぶ。
【００３０】
切替器Ｓ１は、送信器１Ａ、１Ｂからのいずれか一方の送信波を選択してアンテナ５Ｓに出力し、アンテナ５Ｓは、中継先の受信器５Ａ、５Ｂの各アンテナ５Ｒに向けて電波を送信する。
【００３１】
受信器５Ａと５Ｂは、各受信器５Ａと５Ｂのアンテナ５Ｒを介して受信した電波の送信波を周波数変換してＩＦ信号に復元してそれぞれに接続されている復調器６Ａと６Ｂに送信する。
【００３２】
各復調器６Ａと６Ｂで受信されたＩＦ信号は検波、復調され、ベースバンドビデオ信号になる。そして、復調器６Ａ、６Ｂは、そのベースバンドビデオ信号を切替器Ｓ２に送信する。
【００３３】
この様なシステムの受信側では、例えば、シフトレジスタを復調器６Ａ、６Ｂのどちらか一方に設けてタイミングを調整し、異なったケーブル長の回線で送信されたベースバンドビデオ信号の遅延時間を同一タイミングに合わせてから切替器Ｓ２が回線を切替えて出力装置４Ｒに接続することができる。
【００３４】
図２は、図１における入力装置４Ｓから変調器２Ａ、２Ｂ、送信器１Ａ、１Ｂ、および切替器Ｓ１を経てアンテナ５Ｓに至る送信部ＴＸを含む送信系統の機能ブロック図である。
【００３５】
図２において、送信部ＴＸは、前述したように入力装置４Ｓからデジタルビデオ信号を受信してＩＦ信号に変換する変調器２Ａ、２Ｂ、ＩＦ信号の基準発振器２ｒ、送信器１Ａ、１Ｂ、送信波の生成のための局部発振信号の基準発振器１ｒ、アンテナ５Ｓ、送信器１Ａ、１Ｂからのいずれかの送信波をアンテナ５Ｓに選択して出力する切替器Ｓ１、送信波の位相とデジタル変調された信号の遅延を検出する位相比較器ｐｄの他に変調波の遅延時間を調整する遅延調整部ｔｄが加わる。
【００３６】
送信器１Ａ、１Ｂは、それぞれ送信波の電力増幅を行う電力増幅器１ｐ、ＩＦ信号と局部発振信号を混合して送信波に変換するミキサ１ｘ、局部発振信号を生成する局部発振器１ｏを備えている。なお、送信波の位相を調整するフェーズシフタ１ｓ、デジタル変調されたビデオ信号に遅延時間を加える可変遅延線１ｄは、２台の送信器１Ａ、１Ｂが備えることなく、いずれか一方の送信器（ここでは、１Ａとする。）だけが保有するものを調整、制御して他方の送信器１Ｂの信号出力に揃える構成であっても良く、ここでは、送信器１Ａのみが備える構成とする。
【００３７】
入力装置４Ｓから送信されたデジタルビデオ信号は、同期信号と共にそれぞれ、変調器２Ａ、２Ｂに送信され、そこで基準波発振器２ｒから受信した変調基準周波数信号の周波数を基準にして、例えば、６４ＱＡＭ変調（６４値直交振幅変調）されたＩＦ信号が送信器１Ａ、１Ｂに送信される。ここで、変調器２Ａ、２Ｂの間で変調タイミングと周波数が揃ったＩＦ信号が送信器１Ａと１Ｂとに送信される。
【００３８】
送信器１Ｂでは、受信したＩＦ信号がミキサ１ｘの一方の入力に加えられ、他方の入力には基準発振器１ｒからの送信波基準周波数信号を受信して局部発振器１ｏが生成した局部発振信号の出力が入力され、混合されることにより所定周波数の送信波に変換される。この送信波は、その振幅がＩＦ信号で変調された変調波によって包絡線になり電力増幅器１ｐで電力増幅されて切替器Ｓ１の一方の入力（以下Ｂ系統と呼ぶ。）端子に供給される。
【００３９】
また、送信器１Ａでは、受信したＩＦ信号が可変遅延線１ｄとフェーズシフタ１ｓを経てミキサ１ｘの一方の入力に加えられ、ミキサ１ｘの他方の入力には、局部発振器１ｏの出力が加えられて、送信器１Ｂと同じ周波数の送信波に変換される。その送信波は電力増幅器１ｐで電力増幅されて切替器Ｓ１の他方の入力（以下Ａ系統と呼ぶ。）端子に供給される。
【００４０】
以上の信号処理により、切替器Ｓ１が受信する２つの系統では、送信波周波数と変調波の周波数が揃っているが、更に２つの系統のケーブル長の差により発生した２つの系統間での送信波の入力位相差および変調波の遅延時間を図３に示した位相比較器ｐｄにより揃える処理を行う。
【００４１】
図３は、図２に示した実施例における位相比較器ｐｄの機能ブロック図である。
【００４２】
図３において、位相比較器ｐｄは、Ａ系統とＢ系統の両系統の送信波を受信し、その送信波の間の位相差を検出して誤差信号Ｖｅを出力する位相差検出部ｐ１、位相差検出部ｐ１に接続されるローパスフィルタＬｆと、ローパスフィルタＬｆに接続されて位相制御信号Ｖｃを生成してフェーズシフタ１ｓに供給する制御増幅部Ａｃ、および変調波の遅延時間差を検出するために直流分を除去するローカットフィルタＬｃを備えている。なお、ローカットフィルタＬｃは誤差信号、直流分を除去し、さらに不要な高域分を除去するバンドパスフィルタであっても良い。
【００４３】
即ち、切替器Ｓ１のＡ、およびＢ両系統の入力に接続した位相比較器ｐｄにより２つの送信器１Ａと１Ｂからの送信波の位相差を位相差検出部ｐ１で検出する。そして、その位相差が無くなるよう位相比較器ｐｄから位相制御信号Ｖｃをフェーズシフタ１ｓに加えて位相差（遅延時間差）を揃える制御を行う。
【００４４】
位相比較器ｐｄでは、２つの信号入力の位相差を制御するために、Ｂ系統からの送信波を基準にしてＡ系統からの送信波を比較する。位相差検出部ｐ１は、両者の位相差に比例した直流レベルの誤差信号Ｖｅの電圧を検出し、ローパスフィルタＬｆを通して位相制御信号Ｖｃを生成する。そして、位相制御信号Ｖｃがフェーズシフタ１ｓに供給され、誤差信号Ｖｅの電圧をＡ、Ｂ両系統間で位相差がない時の基準電圧に等しくなるようにフィードバック制御を行う。
【００４５】
ここでフェーズシフタ１ｓは、この位相制御信号Ｖｃによりミキサ１ｘに入力するＩＦ信号の位相を変えるので、ミキサ１ｘで周波数変換されたA系統の送信波の位相がＢ系統の送信波と揃うようになる。しかし、このままでは両系統の変調波の遅延時間差が一致していないので変調波の間の遅延時間差を揃える手順について以下に説明する。
【００４６】
ここで、図４は、位相比較器ｐｄが受信した両系統Ａ、Ｂの２つ送信波の各変調波の間に遅延時間差が有る場合の信号出力を表した説明図である。図４において両系統の変調波は、送信波の包絡線によって表示される。両系統のケーブル長の差による遅延時間差があると包絡線のゼロクロスポイント付近では、誤差信号Ｖｅにパルス状の雑音Ｅｐが発生する。
【００４７】
そこで、本発明にでは、図３に示した様に受信した２つの送信波の位相差調整を、位相差検出部ｐ１から得られる直流の誤差信号ＶｅをローパスフィルタＬｆを通して生成した位相制御信号Ｖｃで行ない、その位相制御信号Ｖｃからパルス雑音Ｅｐの成分を除去している。
【００４８】
即ち、遅延時間差が大きければ、そのパルス雑音Ｅｐのエネルギーは大きくなるので、その誤差信号電圧を低くするように２つの被測定変調波の遅延時間差を調整するため、位相差検出部ｐ１の出力にローカットフィルタＬｃを挿入して直流分を除去し、より高い周波数成分のパルス雑音Ｅｐを誤差信号として取り出している。
【００４９】
そして、このパルス雑音Ｅｐを測定しパルス雑音Ｅｐが最小になるように可変遅延線１ｄを調整することにより変調波の間の遅延時間差を最小にする。
【００５０】
図５〜図９は、本発明の変調波の遅延時間調整方法の実施の形態を示す機能構成のブロック図である。
【００５１】
（第１の実施の形態）
図５において、遅延調整部ｔｄは、位相比較器ｐｄのローカットフィルタＬｃの出力波形を直接観測するオシロスコープが用いられる。また、可変遅延線１ｄは、例えば、コイル遅延線のタップにより遅延時間を設定するもの、又は、セラミック共振を利用した遅延線タップにより遅延時間を設定するもので、遅延時間に応じてタップ端子、又は、タップ選定スイッチ（図示せず。）が設けられている。そして、調整者が可変遅延線１ｄのタップを切替えて２つの変調波の間の遅延時間差が最小になるとオシロスコープで観測する波形のパルス状の雑音Ｅｐの波形が最小になるので、その時のタップを可変遅延線１ｄに設定すれば良い。
【００５２】
（第２の実施の形態）
図６における第２の実施の形態では、位相比較器ｐｄは、調整の作業性が良くなる様に送信器１Ａに組み込んだ点が図５の第１の実施形態と異なる。送信器１Ａでは、位相比較器ｐｄのローカットフィルタＬｃの出力をオシロスコープに直接接続して波形を観測し、パルス状の雑音Ｅｐの波形が最小になるよう可変遅延線１ｄのタップを設定して遅延時間を調整する様にしている。
【００５３】
（第３の実施の形態）
図７においては遅延調整部ｔｄをランプＬｇで構成している点が第１の実施形態と異なる。遅延時間差の測定は、位相比較器ｐｄのローカットフィルタＬｃにランプＬｇを接続し、その明暗で遅延時間差の大小を表示する。このローカットフィルタＬｃは、キャパシタの様なもので、単純に誤差信号Ｖｅの直流分をカットするものでも良い。そして、ランプＬｇが光らない様に可変遅延線１ｄのタップを設定して遅延時間を調整するものである。
【００５４】
（第４の実施の形態）
図８においては遅延調整部ｔｄを整流回路ｒｃとレベルメータＬｍで構成している。そして、ローカットフィルタＬｃの出力を整流回路ｒｃで整流し、誤差信号であるパルス波形成分を直流信号に変換し、遅延時間差の大小を示す信号としてレベルメータＬｍで表示、測定する。そして、このレベルが最小になる様に可変遅延線１ｄのタップを設定して遅延時間を調整する。また、レベルメータＬｍの代わりに、ランプやブザー等を用いてランプの明るさやブザーの警報音を利用して遅延時間差を表示するものであっても良い。
【００５５】
（第５の実施の形態）
図９は、遅延時間差を自動調整する実施形態を示している。
【００５６】
図９において、遅延調整部ｔｄを、整流回路ｒｃと駆動アンプｄａとで構成し、位相比較器ｐｄは、自動調整のため常時切換器Ｓ１に接続されている。ローカットフィルタＬｃの出力のパルス雑音Ｅｐは整流回路ｒｃで整流検波された直流の誤差信号Ｅｃになり駆動アンプｄａに送信される。駆動アンプｄａは、受信した誤差信号Ｅｃの電圧に対応して可変遅延線１ｄの遅延時間を制御する遅延制御信号Ｖｄを生成する。遅延制御信号Ｖｄは、可変遅延線１ｄに供給されフィードバック制御を行い、Ａ系統の変調波の遅延時間が、Ｂ系統の変調波の遅延時間と一致するよう動作する。
【００５７】
可変遅延線１ｄは、タップが駆動アンプｄａからの遅延制御信号Ｖｄにより設定される。遅延制御信号Ｖｄは、２つの変調波の遅延時間差に対応して各タップを選択するスイッチ信号であるので第５の実施形態における遅延調整部ｔｄは、小規模な回路で実現できる。従って、変調波を検波復調してベースバンドのデジタルビデオ信号に戻して遅延時間を調整する回路が不要なのでこの回路を組み込んでも送信器１Ａの筐体サイズが大型化することがない。
【００５８】
なお、第５の実施形態では、位相比較器ｐｄが調整時のみ接続されるものであっても良い。この場合、駆動アンプｄａには、マニュアル調整用の電圧調整ダイヤル（図示せず。）を設けておき、自動調整時に最小遅延時間差を与える遅延制御信号Ｖｄ（例えば、２．５Ｖ）を測定する。そして、駆動アンプｄａから遅延制御信号Ｖｄ２．５Ｖを常に出力するようダイヤルを設定し、位相比較器ｐｄを取り外すようにすれば良い。
【００５９】
また、図７〜図９に示された第３〜第５の実施形態における位相比較器ｐｄと遅延調整部ｔｄは、第２の実施の形態と同様に送信器１Ａに組み込まれるものでも良い。
【００６０】
以上説明した様に本発明の実施例によるデジタル無線通信システムは、送信部を汎用測定器、又はメータ等により位相比較器の出力から変調波の間の遅延時間差を簡便に測定し、送信部の切替器入力される２つの送信器からの送信波の間の位相差、および変調波の間の遅延時間差を揃える調整を可能としたので送信器が互いに切替えられても送信電波は遅延時間差無く受信部で連続的に受信検波、復調出来る。従って、受信側のマスター装置においてデジタルビデオ信号がエラー無く受信でき、送信器の筐体が大型化することもない。
【００６１】
なお、上記説明における受信部ＲＸの構成は、出力装置４Ｒ以外は、アンテナ、受信器、復調器とを２つの系統に接続して切替器Ｓ２で切替えて一方の系統を用いる構成であるが、本発明は、受信部が１系統のみで構成されるデジタル無線通信システムの場合、または、送信部と同様に受信用の１つのアンテナを切り替え器で切り替えて２つのそれぞれ受信器と復調器からなる受信系統に接続するデジタル無線通信システムの場合でも適用可能なデジタル無線通信システム、およびその通信制御方法である。
【図面の簡単な説明】
【００６２】
【図１】本発明のデジタル無線通信システムの実施の形態の構成図。
【図２】本発明のデジタル無線通信システムの実施の形態の送信系統の機能ブロック図。
【図３】本発明のデジタル無線通信システムの実施の形態の位相比較器の機能構成を示すブロック図。
【図４】位相比較器の出力信号を説明する図。
【図５】本発明のデジタル無線通信システムの遅延時間調整方法の第１の実施の形態の機能構成を示すブロック図。
【図６】本発明のデジタル無線通信システムの遅延時間調整方法の第２の実施の形態の機能構成を示すブロック図。
【図７】本発明のデジタル無線通信システムの遅延時間調整方法の第３の実施の形態の機能構成を示すブロック図。
【図８】本発明のデジタル無線通信システムの遅延時間調整方法の第４の実施の形態の機能構成を示すブロック図。
【図９】本発明のデジタル無線通信システムの遅延時間調整方法の第５の実施の形態の機能構成を示すブロック図。
【図１０】従来のデジタル無線通信システムの構成図。
【符号の説明】
【００６３】
１Ａ、１Ｂ  送信器
１ｄ  可変遅延線
１ｘ  ミキサ
１ｏ、  局部発振器
１ｐ  電力増幅器
１ｒ、２ｒ  基準発振器
１ｓ  フェーズシフタ
２Ａ、２Ｂ  変調器
４Ｓ  入力装置
４Ｒ  出力装置
５Ａ、５Ｂ  受信器
５Ｓ、５Ｒ  アンテナ
６Ａ、６Ｂ  復調器
Ａｃ  遅延増幅部
ｄａ  駆動アンプ
Ｌｆ  ローパスフィルタ
Ｌｃ  ローカットフィルタ
Ｌｍ  レベルメータ
Ｌｇ  ランプ
ｐｄ  位相比較器
ｐ１  位相差検出部
ｒｃ  整流回路
Ｓ１、Ｓ２  切替器
ｔｄ  遅延調整部
【図１】
2005354464.tif 000003
【図２】
2005354464.tif 000004
【図３】
2005354464.tif 000005
【図４】
2005354464.tif 000006
【図５】
2005354464.tif 000007
【図６】
2005354464.tif 000008
【図７】
2005354464.tif 000009
【図８】
2005354464.tif 000010
【図９】
2005354464.tif 000011
【図１０】
2005354464.tif 000012